(57)【要約】システムは、同じコンテンツを記録する予め記録された領域を有し、ＤＶＤのような複数の記録担体を製造する第１製造装置５１０を含む。第２製造装置５２０は、記録担体の識別子領域に識別子を記録する。この識別子は記録担体の異なるグループに固有である。各々のグループは異なるプレイリストと関連している。このプレイリストは少なくともアクセスすることができるコンテンツ部分の選択及び／又はコンテンツ部分がアクセスすることができるシーケンスが少なくとも相違する。読取装置５３０は記録担体を受取る手段５３２と、識別子領域において記録される識別子を読取る手段５３６と、読取られた識別子と関連したプレイリストを取得する手段５３７と、プレイリスト上のコンテンツ部分に提供するアクセスをする手段５３８とを含む。
2008511943.tif 000002
【特許請求の範囲】
【請求項１】
記録担体上の予め記録されたコンテンツにアクセスするシステムであって、
複数のコンテンツ部分を含む同じコンテンツを記録する予め記録された領域を各々有する複数の記録担体を製造する第１製造装置と、
前記記録担体の識別子領域に識別子を記録する第２製造装置とを備え、前記識別子は前記複数の記録担体の異なるグループに固有であり、記録担体の各々の異なるグループは複数の異なるプレイリストのうちの少なくとも１つと関連しており、前記異なるプレイリストはアクセスすることができるコンテンツ部分の選択及び／又はコンテンツ部分がアクセスすることができるシーケンスが少なくとも相違しており、
読取装置を備え、
前記読取装置は識別子領域及び予め記録された領域を含む記録担体を受取る手段と、
前記受取られた記録担体の前記識別子領域に記録される識別子を読取る手段と、
前記読取られた識別子に対して、前記予め記録された領域のコンテンツ部分の少なくとも一つと関連したプレイリストを取得する手段と、
前記少なくとも一つのプレイリスト上のコンテンツ部分を提供するアクセスをする手段とを含むシステム。
【請求項２】
請求項１に記載のシステムであって、
前記異なるプレイリスト数が記録担体の前記異なるグループ数より小さく、前記読取られた識別子と関連したプレイリストを取得する前記手段は前記読取られた識別子を前記少なくとも一つの関連したプレイリストを識別するプレイリスト識別子に変換するように構成するシステム。
【請求項３】
請求項１に記載のシステムであって、
前記変換は、前記読取られた識別子をハッシュすることを含むシステム。
【請求項４】
請求項１に記載のシステムであって、
前記記録担体に前記予め記録された領域が前記少なくとも一つの関連したプレイリストを取得する工程を実行する前記読取装置によって実行可能なアプリケーションプログラムを含むシステム。
【請求項５】
請求項１に記載のシステムであって、
前記識別子領域が追記型であるシステム。
【請求項６】
請求項５に記載のシステムであって、
前記記録担体が光学記録装置の種類であり、前記識別子領域がバーストカッティングエリアであるシステム。
【請求項７】
請求項１に記載のシステムであって、
前記識別子が前記記録担体に固有であるシステム。
【請求項８】
請求項１に記載のシステムに用いる読取装置であって、
識別子領域と予め記録された領域を含む記録担体を受取る手段を含み、前記予め記録された領域は複数のコンテンツ部分を記録し、前記識別子領域は前記記録担体の識別子を記録し、前記識別子は前記複数の記録担体の異なるグループに固有で、記録担体の各々の異なるグループは複数の異なるプレイリストのうちの少なくとも１つと関連しており、前記異なるプレイリストはアクセスすることができるコンテンツ部分の選択及び／又はコンテンツ部分がアクセスすることができるシーケンスが少なくとも相違し、
前記受取られた記録担体の前記識別子領域に記録される識別子を読取る手段と、
前記読取られた識別子のために、前記予め記録された領域のコンテンツ部分の少なくとも一つと関連したプレイリストを取得する手段と、
前記少なくとも一つのプレイリスト上のコンテンツ部分を提供するアクセスをする手段とを備える読取装置。
【請求項９】
記録担体上に予め記録されたコンテンツをアクセスする方法であって、
識別子領域と予め記録された領域を含む記録担体を受取するステップを含み
前記予め記録された領域は複数のコンテンツ部分を記録し、前記識別子領域は前記記録担体の識別子を記録し、前記識別子は前記複数の記録担体の異なるグループに固有で、記録担体の異なるグループの各々は複数の異なるプレイリストのうちの少なくとも１つと関連しており、前記異なるプレイリストはアクセスすることができるコンテンツ部分の選択及び／又はコンテンツ部分がアクセスすることができるシーケンスと少なくとも相違し、
前記受取られた記録担体の前記識別子領域に記録される識別子を読取るステップと、
前記読取られた識別子に対して、前記予め記録された領域のコンテンツ部分の少なくとも一つと関連したプレイリストを取得するステップと、
前記少なくとも一つのプレイリスト上のコンテンツ部分を提供するアクセスをするステップとを含む方法。
【請求項１０】
記録担体の識別子領域に記録される識別子を読取らせる手順と、前記識別子は複数の記録担体の異なるグループに固有で、記録担体の異なるグループの各々は複数の異なるプレイリストのうちの少なくとも１つと関連しており、前記異なるプレイリストはアクセスすることができるコンテンツ部分の選択及び／又はコンテンツ部分がアクセスすることができるシーケンスが少なくとも相違し、
前記読取られた識別子に対して、前記記録担体の予め記録された領域のコンテンツ部分の少なくとも一つ関連したプレイリストを取得する手順と、
前記少なくとも一つのプレイリスト上のコンテンツ部分を提供するアクセスをする手順とをプロセッサに実行させるコンピュータプログラム。
【発明の詳細な説明】
【技術分野】
【０００１】
本発明は、記録担体に予め記録されたコンテンツにアクセスするシステムに関するものである。更に、本発明は、このシステムを用いるための読取装置に関するものである。また、本発明は、記録担体に予め記録されたコンテンツにアクセスする方法に関するものである。
【背景技術】
【０００２】
リムーバブル記録担体の容量は、絶え間なく増加している。同時に、記録担体の製造コストは、ほとんど増大しないか、時には減少しさえする。現在では、ＤＶＤによる記録担体が、オーディオ／ビデオコンテンツを配布する主要な手段である。二層式ＤＶＤは、デジタルコンテンツを９．４ＧＢｙｔｅｓ記録することができる。例えばブルーレイディスク（ＢＤ）のような将来のリムーバブル記録担体は、さらに多くのコンテンツを記録することができる。したがって、予め記録された記録担体のコストはますますコンテンツによって定められる。典型的に暗号文に基づくコピープロテクトメカニズムを用いることにより、コンテンツを保護することへ多くの努力が費やされた。コンテンツを解読するために、読取器は復号キーを検索する必要がある。ＤＶＤに関して、バーストカッティングエリア〔Ｂｕｒｓｔ  Ｃｕｔｔｉｎｇ  Ａｒｅａ〕（ＢＣＡ）と称されるディスク上の特殊な識別領域が定められている。ディスクを識別するシリアルナンバのような追加情報がこの識別領域に書込まれる。このナンバは、復号キーを検索するために用いることができる。このディスクは、同一の予め記録されたコンテンツを有するディスクを製造する通常の大量製造プロセスにおいて製造される。このプロセスにおいて、ＢＣＡも作成されるが、まだ書込まれていない。別のプロセスステップにおいて、識別子がＢＣＡに書込まれ、その領域に異なるコードを書込むことができる。
【０００３】
予め記録されたコンテンツ量にかかわらず、ディスクの製造コストは、同じかほとんど同程度である。ディスク容量は、ますます大きくなり完全には利用されていない。又は、完全に利用されるならば、コンテンツコストが極端にコストのかかるディスクを作成する。
【発明の開示】
【発明が解決しようとする課題】
【０００４】
本発明の目的は、比較的低い製造コストと比較的高いコンテンツコストの状況を良好に扱うことができる前述した種類のシステム及び方法を提供することにある。更なる目的は、予め記録された記録担体の大容量をいっそう適切に利用することである。
【０００５】
本発明の目的を達成するために、記録担体上の予め記録されたコンテンツにアクセスするシステムであって、
複数のコンテンツ部分を含む同じコンテンツを記録する予め記録された領域を各々有する複数の記録担体を製造する第１製造装置と、
前記記録担体の識別子領域に識別子を記録する第２製造装置とを備え、前記識別子は前記複数の記録担体の異なるグループに固有であり、記録担体の各々の異なるグループは複数の異なるプレイリストのうちの少なくとも１つと関連しており、前記異なるプレイリストはアクセスすることができるコンテンツ部分の選択及び／又はコンテンツ部分がアクセスすることができるシーケンスが少なくとも相違しており、
読取装置を備え、
前記読取装置は識別子領域及び予め記録された領域を含む記録担体を受取る手段と、
前記受取られた記録担体の前記識別子領域に記録される識別子を読取る手段と、
前記読取られた識別子に対して、前記予め記録された領域のコンテンツ部分の少なくとも一つと関連したプレイリストを取得する手段と、
前記少なくとも一つのプレイリスト上のコンテンツ部分を提供するアクセスをする手段とを含むシステムである。
【０００６】
本発明によれば、大量製造の記録担体はグループで整えられ、各々のグループは記録担体の識別子領域に書込まれそれぞれの識別子によって識別される。各々のグループは、それぞれのプレイリストと関連している。このプレイリストは、提供することができるコンテンツ部分の選択又はコンテンツ部分が提供することができるシーケンスを規定する。読取装置であるプレーヤは識別子を読取り、関連したプレイリストを検索し、リスト上のコンテンツ部分のみをアクセスする。このような方法で、記録担体は１回だけ書込まれた同じコンテンツによって大量製造することができ、異なるプレイリストは提供元にコンテンツの十分な制御を提供する。提供元は、コンテンツの制限された部分にアクセスするのみのプレイリストを供給することができる。例えば、アーティストの全てのＣＤ（例えば１０の異なるＣＤ）のオーディオコンテンツを有する単一の記録担体を製作することができる。各々のＣＤで別のプレイリストを提供することによって、ただ１つのＣＤを購入したように消費者は思えるが、実は全てのＣＤコレクションを取得していた。この例では、１０の異なるプレイリスト及び少なくとも１０の異なる識別子が必要である。記録担体に識別子の１つを書込むことによって、記録担体はプレイリストとリンクすることができる。当然のことながら、記録担体が２以上のプレイリストとリンクすることができる（例えば、ユーザがオリジナルＣＤ内の２以上のコンテンツを再生することができる）。したがって、コンテンツが全ての記録担体で同じ場合、プレイリストはコンテンツを再生するバリエーションを提供する。このバリエーションは、再生することができるコンテンツの選択又はコンテンツが再生することができるシーケンスであることができる。例えば、ビートルズの音楽及び／又は映画のコンテンツを有する記録担体は、ポールマッカートニによる解説を有するプレイリスト及び彼の解説に合わせたコンテンツのシーケンスを含むことができる。他のプレイリストでは、リンゴスターの解説に基づくことができる。
【０００７】
従属する請求項２に規定するシステムによれば、プレイリスト数は、記録担体のグループ数より少ない。読取器は、識別子領域に一以上のプレイリスト識別子を記録する識別子に変換する。変換は、実際のプレイリストを隠す。プレイリストが関連したものである識別子領域の識別子から守るのはより困難であり、不正な用途を減らし、特定のプレイリストに対応する識別子を作成することはより困難である。
【０００８】
従属する請求項３に記載の好ましい態様において、変換はプレイリスト識別子にグループ識別子をハッシュすることを含む。用いられるハッシュについて従来の知識（アルゴリズム及び／又はハッシュキー）がなければ、いずれのプレイリストが一定の識別子と関連しているかを予測し、望ましいプレイリストに対応する識別子を作成することは、非常に困難である。
【０００９】
従属する請求項４に規定するシステムによれば、識別子と関連しているプレイリストを取得するプログラムは、記録担体の予め記録された領域にすでに含んでいる。これは、この作業を実行するためのソフトウェアを有する読取装置を備える簡単で安価な方法である。さらに、プログラムは、記録担体のタイトルにつき変更することができる。アプリケーションプログラムが、新たなプラットフォームに依存しないＪａｖａ（登録商標）仮想マシンのような仮想マシンにより好適に書込まれる。
【００１０】
従属する請求項５において規定されるシステムによれば、識別子は追記型領域に書込む。これは、識別子を割り当てて記録担体に有効であるプレイリストを選択する柔軟性を提供する。このような決定は予め記録されたコンテンツを有する担体の大量製造後、作成することができる。このような追記型領域は通常の消費者向け装置によって有利に通常書込むことができず、違法コピーする可能性を減らす。さらに、識別子はコンテンツのコピー保護のために用いることができ、識別可能な記録担体を取消す可能性がある。識別子が予め記録された領域であるシステム用に、この領域は、通常の消費者が複製する技術によってコピーすることに適切でない種類にすべきである（例えばレンダリングのデータとして読取ることができる外側のデータ領域）。
【００１１】
従属する請求項６において規定するシステムによれば、記録担体はＤＶＤ又はブルーレイディスクのような光記録媒体である。このような記録担体は、大量のオーディオ及び／又はビデオの配布に非常に適切である。ＤＶＤ−ＲＯＭ及びＢＤ−ＲＯＭ用において、バーストカッティングエリア（ＢＣＡ）は規定し提案されている。専用マシンがコードを書込むのに利用でき、コードを読取ることができる消費者向けプレーヤがあるので、識別子を記録するためのこの領域を好適に用いられる（しかし、通常の消費者向けレコーダは、コードをコピーすることができない）。
【００１２】
請求項７に記載の好ましい態様において、識別子は記録担体ごとに固有である。例えば、著作権保護を制御するために用いたとき、同じ固有の識別子は用いることができる（例えばＤＶＤのいわゆるディスク識別子）。この方式で、更なる処理ステップではすでに固有の識別子を有する記録担体を必要としない。読取器は、固有に記録した識別子をプレイリスト識別子に変換できる必要がある（例えば、上記のハッシュを用いる）。
【００１３】
本発明の目的を達成するために、記録担体上に予め記録されたコンテンツをアクセスする方法であって、
識別子領域と予め記録された領域を含む記録担体を受取するステップとを含み
前記予め記録された領域は複数のコンテンツ部分を記録し、前記識別子領域は前記記録担体の識別子を記録し、前記識別子は前記複数の記録担体の異なるグループに固有で、記録担体の異なるグループの各々は複数の異なるプレイリストのうちの少なくとも１つと関連しており、前記異なるプレイリストはアクセスすることができるコンテンツ部分の選択及び／又はコンテンツ部分がアクセスすることができるシーケンスと少なくとも相違し、
前記受取られた記録担体の前記識別子領域に記録される識別子を読取るステップと、
前記読取られた識別子に対して、前記予め記録された領域のコンテンツ部分の少なくとも一つと関連したプレイリストを取得するステップと、
前記少なくとも一つのプレイリスト上のコンテンツ部分を提供するアクセスをするステップとを含む方法である。
【００１４】
本発明の目的を達成するために、記録担体の識別子領域に記録される識別子を読取らせる手順と、前記識別子は複数の記録担体の異なるグループに固有で、記録担体の異なるグループの各々は複数の異なるプレイリストのうちの少なくとも１つと関連しており、前記異なるプレイリストはアクセスすることができるコンテンツ部分の選択及び／又はコンテンツ部分がアクセスすることができるシーケンスが少なくとも相違し、
前記読取られた識別子に対して、前記記録担体の予め記録された領域のコンテンツ部分の少なくとも一つ関連したプレイリストを取得する手順と、
前記少なくとも一つのプレイリスト上のコンテンツ部分を提供するアクセスをする手順とを、
プロセッサに実行させるコンピュータプログラムである。
【００１５】
本発明のこれらの及び他の態様は、ここに記載されている実施例を参照することで明らかとなる。
【発明を実施するための最良の形態】
【００１６】
図１は、コンテンツを記録するデータ領域２を含む記録担体１を示す図である。ＣＤ、ＤＶＤ及びブルーレイディスク（ＢＤ）のように光学的に、銀行カードのように磁気的に、フラッシュメモリのようにオンチップで又は例えばゲームコンピュータカートリッジのような他の種類のＲＯＭでコンテンツは記録することができる。不揮発性メモリの他の適切な形式も使用できる。ビデオ、オーディオ、インタラクティブコンピュータプログラム、ゲーム又はこれらの組合せをコンテンツは含むことができる。必要に応じて、データ領域２の一部は予め記録するのみではなく、ユーザがＣＤ−Ｒ又はメモリースティックのように情報を記録することを可能にするように整える。コスト効率の点で、同一の記録担体の好適な大容量を作成する。その場合には、全ての記録担体のデータ領域２は予め記録された種類のものであり、例えば映画、ビデオゲーム又は音楽アルバムのような同じコンテンツを含む。上記の方法において、コンテンツは一回のみ書込まれる必要がある。
【００１７】
データ領域２に加えて、本発明による記録担体１は識別子領域３を有する。この識別子領域は、好適には追記型である。このような場合には、別の書込み処理で記録担体の大量製造の前後に、データは識別子領域３に書込むことができる。識別子領域のデータは、各種の情報に相当する。例えば、記録担体１の各々のコピーは固有の識別番号を有することができ、記録担体１の製造に関して将来情報を検索できるようにデータ領域２又はシリアルナンバにコピープロテクトされたコンテンツを解読するのに用いることができる。光学的に、磁気的に又はオンチップのように多くの適切な方法でコードは利用することができる。例えば、一連の数字若しくは他の文字又はバーコードとしてコードは認識することができる。あるいは、必要に応じて、識別子領域３は予め記録された種類であり、データ領域２のコンテンツとして同時に製造することができる。これはシステムの柔軟性を制限するけれども、同じコンテンツを有するが異なる識別ＩＤを有するいくつかのバッチにより記録担体のコスト効率的な製造が可能となり、書込みコストを節約できる。残りの説明は、識別子領域の追記型を用いることに重点をおく。
【００１８】
また、いくつかの特定のデータを記録するか、視覚化情報を有するか又は記録担体１の物理的な構造を形成するような、追加機能となる一つ以上の追加領域４を記録担体は有することができる。これらの領域は本発明の一部でなく、ここで更に記載しない。
【００１９】
本発明で用いられる各々の記録担体は、複数のコンテンツ部分を含む同一のコンテンツを有する予め記録されたデータ領域２を有する。この文脈において、コンテンツは、オーディオ、ビデオ、イメージ（写真、グラフィック等）、テキスト等のいかなる種類のマルチメディアコンテンツを有してもよい。コンテンツの種類及びこのコンテンツのコード化は、本発明とは無関係である。当然のことながら、コンテンツ部分は、ユーザがプレイリストにより直接アクセスを欲することができるコンテンツのいかなる部分をも意味する。これは、例えば、オーディオトラック、ビデオチャプタ若しくはタイトル、静止画像、原文の本又は表題等であってもよい。
【００２０】
本発明によれば、記録担体の識別子領域３は、複数の記録担体の異なるグループに固有の識別子を与える。従って、１０の異なるグループがある場合、少なくとも１０の異なる識別子がある。異なるグループより多くの固有の識別子を用いることができる。好ましい態様において、識別子は記録担体に固有である。典型的に限定されたグループ数のみが識別する必要があるので、固有の記録担体識別子はグループを識別する固有の識別子に変換される。より大きい範囲からより小さい範囲に適切な変換マッピングをするのにも用いることができる。このようにする簡単な方法は、ＤＩＶ（整数に丸める除算）又はＭＯＤ（除算の後の余り）演算である。好ましい態様において、ハッシュはこの目的のために用いる。いかなる適切なハッシュアルゴリズムも用いることができる。暗号的に安全なハッシュアルゴリズムが、好適に用いられる。いずれにせよ、直接１対１マッピング（例えば、記録担体上の識別子がグループ識別子である）によるか又はこのような１対１を有する『より小さい』識別子に記録担体上の識別子を変換した後に、記録担体に書込まれる識別子が記録担体のグループを固有に識別する。図２Ａは、記録担体に記録される識別子２００が固有のグループ識別子２１０を直接与える例を示す図である。この例では４ビットの識別子が用いられ、記録担体に１６個のグループの区別が可能となる。当然のことながら、この例では、識別子が固有のグループを識別するが、記録担体（同じ識別子を有する多くの記録担体があるかもしれない）を固有に識別しない。図２Ｂ及び図２Ｃは、記録担体に記録された識別子２００が固有に記録担体を識別し、変換／マッピング後に固有のグループに識別子２２０を与える例を示す図である。図２Ｂにおいて、簡単なマッピングを用いる。すなわち４つの最下位ビットが用いられる（おそらく、順列又は他の暗号隠蔽動作を実行した後）。図２Ｃにおいて、４ビットより多くを有する全識別子２００を４ビットグループ識別子２３０に変換するハッシュ演算が用いられる。
【００２１】
本発明によれば、記録担体の各々の異なるグループは、複数の異なるプレイリストのうちの少なくとも１つと関連している。異なるプレイリストは、アクセスすることができるコンテンツ部分の選択及び／又はコンテンツ部分がアクセスすることができるシーケンスが少なくとも相違する。典型的に、１つのグループは、１つのプレイリストと関連している。これは、図３Ａの図で示される。この例では、グループ識別子３００は、プレイリスト識別子３１０と同一である。必要に応じて、グループは、２個以上プレイリストとも関連させてもよい。例えば、記録担体がいくつかのオーディオＣＤのコンテンツを含んで、更に全てこれらＣＤが元のプレイリストを含む場合、グループ識別子はこれらリストの１個以上（全てのリストさえとも）と関連させることができる。図３Ｂは、グループ識別子３００が（リンク先の）３つの異なるプレイリスト３２０、３３０及び３４０と関連している例を示す図である。各々のプレイリストは、コンテンツ部分のそれぞれのシーケンスを規定する。当業者は、上記のリンク動作を容易に実行することができる。
【００２２】
図４は、本発明による記録担体１の態様を示す図である。この態様において、記録担体１はＤＶＤであるが、ＣＤ（コンパクトディスク）又はＢＤ（ブルーレイディスク）のような他の光記録媒体により同様の態様で実現することができる。シリアルナンバのような追加情報が書込むことができるバーストカッティングエリア（ＢＣＡ）を、ＤＶＤは任意に有する。ＢＣＡは本発明による識別子を保持するための識別子領域３としての機能を果たすのに十分に適合している。ＤＶＤ１はオーディオ及び／又はビデオデータのようなデジタルコンテンツを記録するための光記録媒体である。また、効果的なユーザインタラクティブを可能にするようなタイトル固有の作業を実行するコンピュータプログラムをＤＶＤ１は有することができる。Ｊａｖａ仮想マシンのような仮想マシンの実行に、このようなプログラムは好適に書込まれる。予め記録されたコンテンツは、ＤＶＤ１のデータ領域２に記録される。
【００２３】
ＢＣＡ３は、データ領域２の内側に位置することができる。例えば、ＢＣＡ３は、ＤＶＤ１の中心の近くで、データ領域２の内部の環状区域に位置することができる。あるいは、ＢＣＡ３は、データ領域２の外側又は２つの別のデータ領域間に位置することができる。ＤＶＤでは、ＢＣＡがバーコードの形でデータを含むことができる。バーコード５はマスタリング間に書込まれ、そのマスタから全てのディスクは共通であり、マスタリング後にＤＶＤ１のアルミニウム反射層に例えばレーザで書込むことができる。第一の技術を用いて、領域３は予め記録される。そして、各々の識別子は別のマスタを必要とするので、作成できる異なる識別子の数は制限される。第二の技術は好適に用いられる場合、領域は識別子が別の製造ステップで書込まれる追記型領域である。また、レーザ書込み以外の技術では、インクジェット印刷のようなディスクにバーコードを書込むことを用いることができる。バーコード５がマスタリング処理の間、ディスクにまだ適用していない場合、光ディスクは固有のバーコード５を与えることができる。標準ＤＶＤ１のＢＣＡ３に記録されるデータは各々１６バイトからなる４つのデータユニットであってもよいが、ＢＣＡ３は他の光学媒体で他のデータ量を有することができる。
【００２４】
図５は、本発明のシステムブロック図である。このシステムは光ディスク１を製造する２つのマシンを有するが、これら２つのマシンは１つの多目的マシンに集積することができる。第１マシン５１０は、予め記録された領域２に記録されたオーディオ及び／又はビデオデータ及び／又はコンピュータプログラムによって提供される光ディスク１を製造する。第２マシン５２０は、識別子領域３（例えばＢＣＡ３上のバーコード５）に識別子を書込む。光ディスク１の中央にアルミニウム又は他の反射する金属層を焼きつけ、黒化する非常に強力なレーザ（ＹＡＧ又はＣＯ２）によってＢＣＡ３は通常書込まれる。これらのマークは、減少した反射率を有する。他の適切な書込む技術及び書込マシンは、識別子領域の他の種類を用いることができる。記録担体の製造者によって、ＢＣＡ３は必ずしも書込まれる必要があるわけではない。あるいはＢＣＡ書込マシン５２０は、レンタルチェーン、小売業者又は卸売業者によって所有し、コントロールさせることができる。更にシステムは、読取装置５３０を含む。この読取装置は、リムーバブル記録担体１を受取るための装置５３２を含む。当然のことながら、このような受取手段は、用いられる媒体の種類に特有である。例えば、トレイを有する光学ドライブは、典型的に光記録媒体を用いる。他の適切な受取手段は、他の媒体を用いるべきである。また、読取装置５３０は、レンダリング用に受取られた記録担体の識別子領域に記録されるコンテンツを読取るための手段５３４を有する。また、このような手段はよく知られており、ここで更に記載しない。さらにまた、読取装置５３０は、受取られた記録担体１の識別子領域において記録される識別子を読取るための手段５３６を有する。このようなコードを読取る適切な手段は、当業者の技術の範囲内であり光記録媒体がすでに規定されている。例えば、一定の角速度（１４４０ｒｐｍ）で回転し、光ピックアップをＢＣＡ３へ移動し、情報表面にピントを合わせ、デコーディング回路を用いることによって、光学ディスクプレーヤ５３０はＢＣＡ３を読取ることができる。読取装置５３０も、予め記録された領域のコンテンツ部分と少なくとも一つ関連したプレイリストである読取られた識別子を取得する装置５３７を有する。例えばプレイリスト識別子によって各々識別される記録担体に予め記録された領域２をプレイリストは記録することができる。この場合、手段５３７は、読取られた識別子をプレイリスト識別子に変換し、記録担体から関連したプレイリストを検索しなければならない。必要に応じて、ディスクの供給元のウェブサイトのような他の記録媒体にプレイリストは記録することができる。この場合、手段５３７が識別された記録媒体からリストを検索することを可能にするような記録媒体（例えばＵＲＬ）を識別する識別子を記録担体は含むことができる。このようなシナリオにおいて、プレイリストは動的に変更することができる（例えば、ユーザがさらに支払う場合、より大きいプレイリストが提供されるか、又は、より多くのプレイリストが提供される）。適切なプログラムをロードするプロセッサを用いることで、手段５３７は実行することができる。このようなプログラムは、すでに読取装置５３０（例えばＲＯＭにおいて）に存在することができるか、又は、記録担体から読取ることができるか、若しくはウェブサーバのような他の記録媒体からロードすることができる。読取手段５３０も、少なくとも一つのプレイリスト上のコンテンツ部分を与えるアクセスをする装置５３８を含む。プレーヤ装置はプレイリスト上のコンテンツを与えることのみを通常すでに備えているため、これは容易に達成することができる。
【００２５】
図６は、アプリケーションプログラムによって実行される本発明による方法のフローダイアグラムである。上述の通り、データ領域のデータの再生の前に、このようなプログラムは記録担体から好適に検索する。スタンドアロンプレーヤ又はパーソナルコンピュータ（ＰＣ）のようなより大きいシステムで集積されるプレーヤによって、アプリケーションプログラムは開始することができる。プレーヤハードウェア又はプレーヤのドライバソフトウェアは記録担体のデータ領域上のコードを認識することができ、アプリケーションプログラムをコード化する。標準プレーヤで実行することができるので、アプリケーションプログラムは例えばＪａｖａのような標準コード化言語で好適に書込む。第１ステップＱＩＤにおいて、アプリケーションプログラムは、プロセッサが識別子の値（ＩＤ）をプレーヤに問い合わせをさせる。次のステップＳＰＬで、このＩＤを用いて、一組のプレイリストから一つのプレイリストをアプリケーションプログラムは選ぶ。選ばれたプレイリストは、識別子領域（例えばＢＣＡ）で直接コード化をする。又は、多くのオプションのうちの１つに識別子をマップすることによって選択は行うことができる。例えば、ルックアップテーブルはＩＤをプレイリストとリンクするのに用いることができる。又は、ハッシュ関数はより小さい一組の選択にＩＤをマップするのに用いることができる。ユーザが記録担体のコンテンツを視聴することができる方法をプレイリストは決定する。次のステップＳＳＰにおいて、ユーザがプレイリストでアイテムを再生するのを可能にするために、プロセッサがユーザに選択されたプレイリストをアプリケーションプログラムは示させる。例えば、ＤＶＤが、ビートルズドキュメンタリを有する。ＩＤにより、ポールマッカートニが最も重要であるとみなされたビートルズ音楽の部分をディスクは再生する。他のＩＤを有するディスクをユーザが所持する場合には、リンゴスターの視点などからドキュメンタリを示すプレイリストの再生をアプリケーションは選ぶ。両方のディスクは同一のデータコンテンツを有することができるが、どのデータコンテンツをユーザに示し、どのオーダ又はどのコンテキストを提供するかはディスクＩＤに依存する。
【００２６】
どのＩＤが記録担体に適用するかを製造者がコントロールする場合、どのディスクがどの特性を有するかについて予め知っている。異なる記録担体は異なって包装することができる。１人の消費者に異なるディスクＩＤを有するが、同じデータコンテンツを有する複数の記録担体を、製造者は販売することができる。複数のものを販売するとき、１つの記録担体を製造者は編集及び製作しなければならない。このようにすることで製造コストを節約する。ＩＤがランダムに割り当てられ明確なテストがされない場合、どのプレイリストが特定のディスクから再生することができるかについて製造者でさえわからず、異なる記録担体は同一の包装とすることができる。これは、全ての異なるバリエーションを取得するために記録担体を消費者が収集し、交換するのには魅力的である。
【００２７】
図７は、本発明によるディスク１の概略図である。ディスク１のデータ領域２は、４つのコンテンツタイトルＡ、Ｂ、Ｃ、Ｄを有する。例えば、第１タイトルＡは映画を有し、第２タイトルＢは他の映画の予告編を有し、第３タイトルＣは第１タイトルＡの映画の製作についてのドキュメンタリの作成を有し、第4タイトルＤは第１タイトルＡの映画において用いられる音楽を有する。ＢＣＡ上のＩＤによって、３つのプレイリスト７１０、７２０、７３０のうちの１つが、ユーザに示される。第１プレイリスト７１０は、全４つのタイトルＡ、Ｃ、Ｂ、Ｄをユーザが再生することを可能にする。第２プレイリスト７２０は、ユーザにビデオタイトルＢ、Ａ、Ｃを示すだけである。より短いプレイリスト７３０を示すディスクは、より長いプレイリスト７１０を示すディスクより低価格で販売することができる。第３プレイリスト７３０は、映画からの音楽を有するタイトルＤを示すだけである。異なるＩＤを有するディスクは、異なる包装がされ、異なる店で販売することができる。例えば、音楽のみを示すディスクは音楽ショップで販売することができ、映画のみを示すディスクはビデオショップで販売、ビデオレンタル屋でレンタルすることができる。
【００２８】
また、当然のことながら、本発明はコンピュータプログラム、特に担体上又は内の適切なコンピュータプログラムを提供し、本発明を実施するのに適切である。このプログラムはソースコード、オブジェクトコード、部分的にコンパイルされた形式のようなソースコード及びオブジェクトコードの中間にあるコード、又は本発明による方法を実施するのに適した他のいかなる形式でもよい。この担体は、プログラムを収容できるいかなる構成要素又は装置であることができる。例えば、ＣＤＲＯＭ又は半導体ＲＯＭのようなＲＯＭ、フロッピー（登録商標）ディスク又はハードディスクのような磁気記録装置である記録媒体を、この担体は含むことができる。さらにまた、この担体は電気又は光信号のような伝達可能な担体であることができ、電気若しくは光ケーブルによって又はラジオ若しくは他の手段によって伝達することができる。プログラムがこのような信号で実施されるとき、担体はこのようなケーブル若しくは他の装置又は手段によって構成することができる。あるいは、この担体はプログラムが埋め込まれる集積回路であることができ、集積回路が実行するか又は関連した方法で実行するために用いるのに適している。
【００２９】
上述の態様は本発明を限定するものではなくこれを説明するためのものであり、当業者は特許請求の範囲により規定される本発明を逸脱することなく、多くの他の実施例を設計しうることに留意すべきである。
【図面の簡単な説明】
【００３０】
【図１】図１は識別子領域を有する記録担体を示す図である。
【図２】図２は記録担体識別子をグループ識別子にマップする図である。
【図３】図３はグループ識別子をプレイリストとリンクすることを示す図である。
【図４】図４はバーストカッティングエリアを有するＤＶＤディスクを示す図である。
【図５】図５は本発明によるシステムの概略図を示す図である。
【図６】図６はコンテンツにアクセスする処理を図式的に示す図である。
【図７】図７は本発明によるディスクの概略図を示す図である。
【図１】
2008511943.tif 000003
【図２Ａ】
2008511943.tif 000004
【図２Ｂ】
2008511943.tif 000005
【図２Ｃ】
2008511943.tif 000006
【図３Ａ】
2008511943.tif 000007
【図３Ｂ】
2008511943.tif 000008
【図４】
2008511943.tif 000009
【図５】
2008511943.tif 000010
【図６】
2008511943.tif 000011
【図７】
2008511943.tif 000012
【国際調査報告】
2008511943.tif 000013
2008511943.tif 000014
2008511943.tif 000015